(57)【要約】【課題】  供給水圧が低い場合でもシャワー水の噴射速度を高くし、しかも肌当りの良好なシャワー水が得られるシャワーヘッドを提供する。【解決手段】  シャワーヘッド本体に設けられる散水板は毎分１０リットルの流量の場合に散水孔を通るシャワー水の噴射速度が毎時２５ｋｍ以上となるように形成してあり、散水孔の孔数を２００個以上としたシャワーヘッドが提供される。【選択図】図１
0003168055.tif 000002
【実用新案登録請求の範囲】
【請求項１】
シャワーヘッド本体に散水板を備え、この散水板は毎分１０リットルの流量の場合に散水孔を通るシャワー水の噴射速度が毎時２５ｋｍ以上となるように形成し、かつ散水孔の孔数を２００個以上としてあることを特徴とするシャワーヘッド。
【請求項２】
シャワーヘッド本体に散水板を備え、この散水板は毎分１０リットルの流量の場合に散水孔を通るシャワー水の噴射速度が毎時２５ｋｍ以上となるように形成し、かつ上記散水孔の孔数が２００個以上であり、各散水孔の直径が０．２ｍｍ以上で０．４ｍｍ以下であることを特徴とするシャワーヘッド。
【請求項３】
シャワーヘッド本体に散水板を備え、この散水板は毎分１０リットルの流量の場合に散水孔を通るシャワー水の噴射速度が毎時２５ｋｍ以上となるように形成し、かつ上記散水孔の孔数が２００個以上であり、各散水孔の直径が０．２ｍｍ以上で０．４ｍｍ以下であり、これら散水孔の総開口面積が２５ｍｍ２以下であることを特徴とするシャワーヘッド。
【考案の詳細な説明】
【技術分野】
【０００１】    本考案は、浴室や理容院や美容院などで使用されるシャワーヘッドに関する。
【背景技術】
【０００２】    一般に、シャワーヘッドは、シャワーホースに接続されるシャワーヘッド本体の先端に散水板を取り付け、この散水板に多数の小さな散水孔を開口して構成されている。シャワーホースを通じて供給される水又はお湯は、シャワーヘッド本体内を通り、散水板に形成した多数個の散水孔を通じてシャワー水として放出される。
【先行技術文献】
【特許文献】
【０００３】
【特許文献１】
【考案の概要】
【考案が解決しようとする課題】
【０００４】  ところでシャワーヘッドに水やお湯を供給する水道の水圧や給湯器の給水圧力が低い場合、シャワー水の勢いが弱くなり、洗い流す力が弱いとともに物足りなくてシャワーを浴びる実感が乏しくなる。シャワー水の勢いを強くするには、散水板の開口面積を絞れば、丁度、ホースの先を潰したときのように、噴射速度が増し、シャワー水の勢いが強くなる。
しかしながら、シャワー水の水流が太いままで噴射速度を大きくすると、衝突エネルギーが大きくなって肌に当ったときに痛く感じる。【０００５】  本考案はこのような事情にもとづきなされたもので、供給水圧が低い場合でもシャワー水の噴射速度を高くし、しかも肌当りの良好なシャワー水を放出するシャワーヘッドを提供しようとするものである。
【課題を解決するための手段】
【０００６】  上記課題を解決するため本考案の請求項１に係る考案は、シャワーヘッド本体に散水板を備え、この散水板は毎分１０リットルの流量の場合に散水孔を通るシャワー水の噴射速度が毎時２５ｋｍ以上となるように形成してあり、上記散水孔の孔数が２００個以上となっているシャワーヘッドが提供される。
請求項２の考案は、シャワーヘッド本体に散水板を備え、この散水板は毎分１０リットルの流量の場合に散水孔を通るシャワー水の噴射速度が毎時２５ｋｍ以上となるように形成してあり、上記散水孔の孔数が２００個以上であり、かつ散水孔の直径が０．２ｍｍ以上で０．４ｍｍ以下であるシャワーヘッドが提供される。
請求項３の考案は、シャワーヘッド本体に散水板を備え、この散水板は、毎分１０リットルの流量の場合に散水孔を通るシャワー水の噴射速度が毎時２５ｋｍ以上となるように形成してあり、散水孔の孔数が２００個以上であり、散水孔の直径が０．２ｍｍ以上で０．４ｍｍ以下であり、かつこれら散水孔の総開口面積が２５ｍｍ２以下であるように形成したシャワーヘッドが提供される。
【考案の効果】
【０００７】  請求項１の考案によれば、散水板の総開口面積を絞るなどの手段で、毎分１０リットルの流量の場合に上記散水孔を通るシャワー水の噴射速度が毎時２５ｋｍ以上となるように規制するので、水道供給水圧が低くてもシャワー水の勢いが増し、しかしこの場合、散水孔の孔数を２００個以上にするので、シャワー水の本数が増えて分散することになり、かつ水流が細くなるので噴射速度が速くなったにも拘わらず衝突エネルギーが低くなり、肌当たりが柔らかくなる。
請求項２の考案によれば、散水孔の直径を０．２ｍｍ以上で０．４ｍｍ以下としたので、孔の大きさが小さくなり、１本の噴射水流が細くなるので噴射速度が速くなるにも拘わらず衝突エネルギーが低くなり、肌当たりが柔らかくなる。
請求項３の考案によれば、散水板の総開口面積が２５ｍｍ２以下に規制されるので、噴射速度が高くなり、しかしながら散水孔の孔径が０．２ｍｍ以上で０．４ｍｍ以下であり、孔数を２００個以上としてあるから細い水流が多数噴射されることになって、肌当たりの柔らかいシャワー水を実現できる。
【図面の簡単な説明】
【０００８】
【図１】  本考案の一実施例を示し、シャワーヘッドの一部断面した側面図
【図２】  同実施例の散水孔の配置を示す散水板の正面図
【考案を実施するための形態】
【０００９】
【実施例１】
【００１０】  以下本考案について、一実施例を図１および図２にもとづき説明する。図１はシャワーヘッドの一部断面して示す側面図、図２は散水板の正面図である。
図において、１はシャワーヘッド本体であり、互いに連通するヘッド部２と握り部３を備えている。握り部３の根元には導入口４が形成され、この導入口４は図示ないシャワーホースに連結される。
このヘッド部２の先端には散水板５が取り付けられている。この散水板５は、ヘッド部２に対して押えリング６によって脱着可能に取り付けられているとともに、ゴムなどのシール材７により水密が保たれている。【００１１】    散水板５はステンレスの薄板からなり、このステンレス薄板は板厚０．４ｍｍ、直径５０ｍｍ程度の円盤をなしている。この散水板５には多数の散水孔８…が開口形成されている。これら散水孔８…の直径は０．３ｍｍとなっており、総計では２５０個が形成されている。【００１２】  この散水板５は、上記散水孔８…がそれぞれ小さな孔であるから、ドリルなどの孔開け加工では多大な手間を要し、また樹脂による型加工では金型が複雑になるとともに金型寿命が短くなる等の理由から、ステンレス薄板を用い、フォトエッチング加工にて製造されている。【００１３】  上記構造のシャワーヘッドにあっては、シャワーヘッド本体１をシャワーホースに連結して給水栓を開けると、水道水（又はお湯）がシャワーホースを通じてシャワーヘッド本体１に供給され、この水は握り部３からヘッド部２に至り、散水板５の散水孔８…を通ってシャワー水となって噴射される。
本実施例の散水板５は、孔径０．３ｍｍの散水孔８…を合計２５０個開けてあるから、散水板５における総開口面積は、１７．７ｍｍ２となっている。ちなみに、従来から知られている標準的なシャワーヘッドの場合、散水孔の直径は０．６ないし０．８ｍｍ程度、孔数８０個程度であり、総開口面積はほぼ２２．６ないし４０ｍｍ２である。よって、上記実施例の散水板５は、従来と比べて総開口面積が小さくなっている。このため単位時間当たりの通水量を節減することができ、節水効果を奏する。
そして、散水板５の総開口面積を絞ったことにより、内圧が高くなり、各散水孔８…より高速の噴射水が得られる。
通水量Ｑと、総開口面積Ａと噴射速度ｖの関係は、Ｑ＝Ａｖ  で表され、通水量Ｑが毎分１０リットルの場合、総開口面積Ａが１７．７ｍｍ２であれば、噴射速度ｖは、３３．８ｋｍ／時間である。したがって、水圧が低くても、勢いのある噴射水が得られる。
これに比べて上記従来の標準的なシャワーヘッドの場合、通水量Ｑが毎分１０リットルの場合は、噴射速度が２６．５ないし１５ｋｍ／時間となっていた。よって、実施例のシャワーヘッドは噴射速度が大きくなっている。
そして、散水板５に設けた散水孔８…は、孔径を０．３ｍｍにしてあり、総数が２５０個となっているので、細い水流が多数本噴射されるようになり、噴射速度が速くなっても各噴射水の衝突エネルギーが小さくなるので、肌に当る感触が柔らかく、かつ当る場所が分散されるので肌当たりが良好になる。【００１４】  散水孔の大きさは、直径０．２ないし０．４ｍｍの範囲で良好であり、かつ散水孔の数は２００個以上がよい。直径が０．２ｍｍ未満であると水流が細くて肌当たりが物足りなく感じ、０．４ｍｍを超えると逆に肌当たりが強くなって痛く感じる。また、散水孔の数が２００個未満であると、１個の散水孔を大きくしなければならず、シャワー水の肌当たりが粗く感じる。
【産業上の利用可能性】
【００１５】  以上説明した通り本考案によれば、毎分１０リットルの流量の場合に散水孔を通るシャワー水の噴射速度が毎時２５ｋｍ以上となるように規制するので、水道供給水圧が低くてもシャワー水の勢いが増す。しかもこの場合、散水孔の孔数を２００個以上にするので、シャワー水の本数が増えるとともに分散することになり、また必然的に水流が細くなるので噴射速度が速くなるにも拘わらず衝突エネルギーが低くなり、肌当たりが柔らかくなり、感触がすこぶる良好になる。
【符号の説明】
【００１６】  １…シャワーヘッド本体
５…散水板
８…散水孔
【図１】
0003168055.tif 000003
【図２】
0003168055.tif 000004
【手続補正書】
【提出日】平成23年3月1日(2011.3.1)
【手続補正１】
【補正対象書類名】明細書
【補正対象項目名】０００６
【補正方法】変更
【補正の内容】
【０００６】  上記課題を解決するため本考案の請求項１に係る考案は、シャワーヘッド本体に散水板を備え、この散水板は散水孔の総開口面積が２５ｍｍ２以下であって毎分１０リットルの流量の場合に散水孔を通るシャワー水の噴射速度が毎時２５ｋｍ以上となるように形成してあり、上記散水孔の孔数が２００個以上となっているシャワーヘッドが提供される。
請求項２の考案は、シャワーヘッド本体に散水板を備え、この散水板は散水孔の総開口面積が２５ｍｍ２以下であって毎分１０リットルの流量の場合に散水孔を通るシャワー水の噴射速度が毎時２５ｋｍ以上となるように形成してあり、上記散水孔の孔数が２００個以上であり、かつ散水孔の直径が０．２ｍｍ以上で０．４ｍｍ以下であるシャワーヘッドが提供される。
【手続補正２】
【補正対象書類名】明細書
【補正対象項目名】０００７
【補正方法】変更
【補正の内容】
【０００７】  請求項１の考案によれば、散水板の総開口面積を２５ｍｍ２以下に絞ることで、毎分１０リットルの流量の場合に上記散水孔を通るシャワー水の噴射速度が毎時２５ｋｍ以上となるように規制するので、水道供給水圧が低くてもシャワー水の勢いが増し、しかしこの場合、散水孔の孔数を２００個以上にするので、シャワー水の本数が増えて分散することになり、かつ１本の水流が細くなるので噴射速度が速くなったにも拘わらず衝突エネルギーが低くなり、肌当たりが柔らかくなる。
請求項２の考案によれば、散水孔の総開口面積が２５ｍｍ２以下であって毎分１０リットルの流量の場合に散水孔を通るシャワー水の噴射速度が毎時２５ｋｍ以上となるように形成してあり、かつ散水孔の孔数が２００個以上であり、さらに散水孔の直径を０．２ｍｍ以上で０．４ｍｍ以下としたので、孔の本数が増えるとともに大きさが小さくなり、１本の噴射水流が細くなるので噴射速度が速くなるにも拘わらず衝突エネルギーが低くなり、肌当たりが柔らかくなる。
【手続補正３】
【補正対象書類名】明細書
【補正対象項目名】００１５
【補正方法】変更
【補正の内容】
【００１５】  以上説明した通り本考案によれば、散水孔の総開口面積を２５ｍｍ２以下として毎分１０リットルの流量の場合に散水孔を通るシャワー水の噴射速度が毎時２５ｋｍ以上となるように規制するので、水道供給水圧が低くてもシャワー水の勢いが増す。しかもこの場合、散水孔の孔数を２００個以上にするので、シャワー水の本数が増えるとともに分散することになり、また必然的に水流が細くなるので噴射速度が速くなるにも拘わらず衝突エネルギーが低くなり、肌当たりが柔らかくなり、感触がすこぶる良好になる。
【手続補正４】
【補正対象書類名】実用新案登録請求の範囲
【補正対象項目名】全文
【補正方法】変更
【補正の内容】
【実用新案登録請求の範囲】
【請求項１】
シャワーヘッド本体に散水板を備え、この散水板は散水孔の総開口面積
0003168055.tif 000005
速度が毎時２５ｋｍ以上となるように形成し、かつ散水孔の孔数を２００個以上としてあることを特徴とするシャワーヘッド。
【請求項２】
シャワーヘッド本体に散水板を備え、この散水板は散水孔の総開口面積が
0003168055.tif 000006
度が毎時２５ｋｍ以上となるように形成し、かつ上記散水孔の孔数が２００個以上であり、各散水孔の直径が０．２ｍｍ以上で０．４ｍｍ以下であることを特徴とするシャワーヘッド。